(57)【特許請求の範囲】
【請求項１】
袋状の表皮材と、この表皮材の内側に充填されるクッション材とを具えて成る本体部と、この本体部の少なくとも一部に設けられたポケット部とを具えた介護用クッションであって、
前記ポケット部は、前記クッション材と接触可能に本体部の内側へ入り込むように構成され、且つ奥拡がり状の台形状に形成され、
このポケット部を構成しているポケット部表皮材は、前記本体部を構成している本体部表皮材の内面に非固定とされるものであり、ポケット部が本体部の内側で可動性を有し、
また前記クッション材はポケット部の動きに応じて変形または移動可能であることを特徴とする介護用クッション。
【請求項２】
前記クッション材は、クッション効果を発現する粒塊状物であり、前記ポケット部周辺に位置するクッション材が、ポケット部に挿入された手の動きに応じ移動可能とされていることを特徴とする請求項１記載の介護用クッション。
【請求項３】
前記ポケット部表皮材を本体部内から引き出して裏返し張り出し部を形成した状態において、この裏返し張出部に、本体部に充填されていたクッション材を移動させるようにしたことを特徴とする請求項１または２記載の介護用クッション。
【請求項４】
前記ポケット部は、本体部の側周であって要介護者の身体を支持する面の左右または上下に対向する位置へと複数が具えられていることを特徴とする請求項１、２または３記載の介護用クッション。
【請求項５】
前記本体部は複数枚の本体部表皮材の周端部付近を縫合して形成され、この縫合部位に前記ポケット部が設けられることを特徴とする請求項１、２、３または４記載の介護用クッション。
【請求項６】
前記本体部及びポケット部は、上下一対の面対称の表皮材を重ね合わせるとともに、その周端部付近が縫合されて成るものであり、
この表皮材は、本体部表皮材とポケット部表皮材とが一体に形成されたものであることを特徴とする請求項５記載の介護用クッション。
【発明の詳細な説明】
【技術分野】
【０００１】
本発明は介護者による支援を受けて、要介護者がベッド上等での体位変換や、安楽姿勢の維持ができるようにした介護用クッションに関するものである。
【背景技術】
【０００２】
ベッド上での安静を必要とする要介護者は、各人毎の身体状況に応じ、頭部をはじめ身体の必要な部位に介護用クッションをあてがい、体位を安定的に保持することが行われている。
一方でこのような安静状態を続けてしまうと、体圧が集中する部位に褥瘡が生ずる場合があり、その予防のために適宜の時間ごとに体位変換を行うことが必要となっている。
このような介護手法に適するものとし種々の介護用クッションが提案されている。
【０００３】
まず、体位変換を行い易くする目的では、介護用クッションの本体部に、操作用の手掛かりとなるバンド状やグリップ状の把手等を付設したものが主流となっている（例えば非特許文献１参照）。
このような手法の場合、介護者は要介護者の身体荷重の下方に直接手を入れるのではなく、把手を引き上げるようにして要介護者の体位変換を促すものであり、いわば間接的に身体部分を持ち上げるような操作がなされている。当然ながらこのような手法は、介護者に体力的負担が大きく、また介護者、要介護者両者共に、体位変換、ケアの際、自然な力加減が体感できない、いわばしっくり感が得難いものであった。
【０００４】
一方、体位の安定的な維持にあたっては、介護用クッションの表皮材に充填されているクッション材を独立した粒塊状物とし、表皮材の外側から介護用クッションを部分的に押圧して体の下に入れ込むようにして当てるので、クッション材が偏在してしまうことにより、いわば体位になじんだ形状になり難かった。すなわちこのような手法では、表皮材内でクッション材が移動するとはいえ、表皮材の形状に因む内容積は決まっていることから、理想的な形状を得難い。
【０００５】
このように従来の介護用クッションにあっては、体位の安定維持を行うことを目的とする構成にあっても、体位変換を行うことを目的とする構成にあっても、必ずしも万全な対応が採られているとはいえず、これら二つの目的を有機的に関連付けて解決を試みるという技術的思想は全く無かった。
【先行技術文献】
【特許文献】
【０００６】
【非特許文献１】パラマウントベッド株式会社  体位変換器バナナターン（登録商標）KE-P153 、インターネット＜ＵＲＬ：http://www.paramount.co.jp/product/detail/index/20/4344 ＞
【発明の概要】
【発明が解決しようとする課題】
【０００７】
本発明はこのような背景を考慮してなされたものであって、体位変換を行い易くするという目的と、体位の安定維持を行うという二つの目的を合理的に達成できる、新規な構成を具えた介護用クッションを開発することを技術課題とした。
【課題を解決するための手段】
【０００８】
まず請求項１記載の介護用クッションは、  袋状の表皮材と、この表皮材の内側に充填されるクッション材とを具えて成る本体部と、この本体部の少なくとも一部に設けられたポケット部とを具えた介護用クッションであって、前記ポケット部は、前記クッション材と接触可能に本体部の内側へ入り込むように構成され、且つ奥拡がり状の台形状に形成され、このポケット部を構成しているポケット部表皮材は、前記本体部を構成している本体部表皮材の内面に非固定とされるものであり、ポケット部が本体部の内側で可動性を有し、また前記クッション材はポケット部の動きに応じて変形または移動可能であることを特徴として成るものである。
【０００９】
また請求項２記載の介護用クッションは、前記要件に加え、前記クッション材は、クッション効果を発現する粒塊状物であり、前記ポケット部周辺に位置するクッション材が、ポケット部に挿入された手の動きに応じ移動可能とされていることを特徴として成るものである。
【００１０】
更にまた請求項３記載の介護用クッションは、前記要件に加え、前記ポケット部表皮材を本体部内から引き出して裏返し張り出し部を形成した状態において、この裏返し張出部に、本体部に充填されていたクッション材を移動させるようにしたことを特徴として成るものである。
【００１１】
更にまた請求項４記載の介護用クッションは、前記要件に加え、前記ポケット部は、本体部の側周であって要介護者の身体を支持する面の左右または上下に対向する位置へと複数が具えられていることを特徴として成るものである。
【００１２】
更にまた請求項５記載の介護用クッションは、前記要件に加え、前記本体部は複数枚の本体部表皮材の周端部付近を縫合して形成され、この縫合部位に前記ポケット部が設けられることを特徴として成るものである。
【００１３】
更にまた請求項６記載の介護用クッションは、前記請求項５記載の要件に加え、前記本体部及びポケット部は、上下一対の面対称の表皮材を重ね合わせるとともに、その周端部付近が縫合されて成るものであり、この表皮材は、本体部表皮材とポケット部表皮材とが一体に形成されたものであることを特徴として成るものである。
そしてこれら各請求項記載の構成を手段として前記課題の解決が図られる。
【発明の効果】
【００１４】
まず請求項１記載の発明によれば、ポケット部の存在により、この部位に介護者が手を差し入れることにより、容易に介護者の身体部位を、荷重のかかる側から直接またはより近くから支持できるようになり、体位変換等が自然に行われる。
すなわち介護者にとっては力の加減を行い易く、一方、要介護者にとっては、受ける力が自然に身体に伝わり、無理のない体位変換の介助を受けることができる。
またポケット部が裏返し状に引き出し自在に構成されており、この部位が張り出した裏返し張出部とすることにより、体位変換等の操作を行うことができる。更にこれだけで終わらずに、体位変換後に介護者の体の下へとクッションをさし入れた際に、クッション材がどうしても偏在してしまうことが、本体部の内部へとポケット部を設けたことによって、本体部内のクッション材を、ポケット部に挿入した手によって移動させる調整ができる。このための体位変換から、適切なポジショニングを行う操作まで一連の動作を、ポケット部があることで実現できる。
またポケット部が奥拡がり状に形成されているから、ポケット部に手を差し入れた際、掌を内部で広げて安定感等がより得られ易い。またポケット部を裏返し状に引き出して裏返し張出部とする際には、クッション材を布地ごと掌で握って一緒に引き出しやすい。更にポケット部を引き出した後には、そのポケット部がすなわち裏返し張出部となり、この幅が本体部と連通する部分の幅より幅広となるので、裏返し張出部内に位置するクッション材を本体部側に戻り難くすることができる。
【００１５】
また請求項２記載の発明によれば、クッション材が粒塊状物であり、ポケット部周辺のクッション材がポケット部に挿入した手の動きに応じ移動しやすくできることから、このものを一部移動させることにより、支持作用を行う全体の形状を、適切なものに設定できる。
【００１６】
更にまた請求項３記載の発明によれば、本体部に充填されていたクッション材を裏返し張出部内に移動させることができるから、本体部内のクッション材の体積を減量させ、要介護者の状況に応じた更に適切な形状を選択することができる。
【００１７】
更にまた請求項４記載の発明によれば、ポケット部が適宜の数設けられることにより、操作により適した部位に手を差し入れることができる。
【００１８】
更にまた請求項５記載の発明によれば、本体部表皮材の縫合部位に前記ポケット部が設けられるため、本体部表皮材とポケット部表皮材とを連設させた一枚の布により構成することができる。またこのように形成されたクッション材にあっては、ポケット部のポケット入口が開き易くなるため、その位置を視認し易く、また手の挿入がし易くなる。
【００１９】
更にまた請求項６記載の発明によれば、本体部表皮材とポケット部表皮材とを連設させた一枚の布により構成された表皮材を、上下一対としてこれらが縫合されるため、部品点数を少なくでき製造コストを低減することができる。
【図面の簡単な説明】
【００２０】
【図１】本発明の介護用クッションを斜視図及び断面図である。
【図２】同上裏返し張出部が押し込まれた状態及び引き出された状態を示す平面図並びに表皮材の展開図である。
【図３】介護用クッションを用いた要介護者の体位変換の様子を段階的に示す斜視図である。
【図４】裏返し張出部の状態を異ならせて体位の安定維持を行う様子を示す平面図である。
【図５】介護用クッションの他の実施例を示す（ａ）〜（ｅ）である。
【図６】介護用クッションの他の実施例を示す（ｆ）〜（ｊ）である。
【図７】形状を異ならせた介護用クッションを組み合わせて体位の安定維持を行う様子を示す斜視図である。
【発明を実施するための形態】
【００２１】
本発明を実施するための形態は、以下述べる実施例をその一つとするものであるとともに、この技術思想に基づく種々の改良した実施例も含むものである。
【実施例】
【００２２】
以下本発明を図１〜４に示す基本となる構成に基づいて具体的に説明する。図中符号１で示すものが本発明の「介護用クッション」であって、このものは一例として、全体形状としては平面視湾曲状とした細長状であり、例えば要介護者Ｍの肩部を支えながら頭部を円滑に保持するように用いられる。
具体的に介護用クッション１は、袋状の表皮材２と、この表皮材２の内側に充填されるクッション材３とを具えて成るものであり、要介護者Ｍの身体部位を支持する本体部５に対し、その内側に入り込むポケット部６を具えている。
以下、介護用クッション１を構成する各部材について詳細に説明する。
【００２３】
まず表皮材２は、ポリエステル等適宜の布材により構成されるものであり、布材は従来のクッションに採用されるものを用いる。この表皮材２は本体部５を構成するための本体部表皮材２０と、ポケット部６を構成するためのポケット部表皮材２１とを具えて成る。なお本体部表皮材２０とポケット部表皮材２１とを同一の素材としてもよいし、別の素材としてもよい。またこれら本体部表皮材２０とポケット部表皮材２１とは、同一の布材によって構成してもよいし、それぞれ別の布で作り、これらを縫製して一体化するようにしてもよい。
【００２４】
なお表皮材２は製造にあたって型抜きされるものであり、その形状は一例として、平面視弧状の本体部表皮材２０に対し、一例として図２（ｃ）に示すように平面視台形状のポケット部表皮材２１がツノ状に突出するように設けられたものとされる。
そして上下一対の表皮材２を、本体部５の表側になる面を対向させて重ね合わせるとともに、その周囲（周端部付近）を、その一部を除いて縫合したのち、未縫合部分から、表皮材２を引き出して反転させて袋状に構成する。この際、ポケット部表皮材２１は本体部５の内側に配置されることになり、結果として、本体部５の内側に入り込むようにポケット部６が形成される。
次いで上下一対の表皮材２の間に適量のクッション材３が充填され、最後に未縫合部を縫合して本体部５が形成される。
【００２５】
ここで前記クッション材３は、クッション効果を発現する粒塊状物であり、適宜の流動性を確保することができるとともに、蒸れを防ぐことができる素材により形成されるものである。クッション材３は従来の市販のクッションに採用されるものを用いる。
この実施例では一例として、φ１〜３ｍｍ程度のポリスチレン発泡材から成る球状ビーズ３ａと、１０ｍｍ角の通気ウレタンキューブ３ｂと、の双方を用いるようにした。なお球状ビーズ３ａと通気ウレタンキューブ３ｂとの混合比は、一例として５０：５０〜２５：７５とされるものであり、蒸れ難さ、流動性の確保、価格等を総合的に考慮した配合比が選択される。
【００２６】
もちろんクッション材３として、前記球状ビーズ３ａあるいは通気ウレタンキューブ３ｂのいずれか一方のみを用いるようにしてもよく、更にクッション材３とともにクッション効果を発現しない粒塊状物を表皮材２内に充填するようにしてもよい。
なお表皮材２内におけるクッション材３の流動性を確保することにより、本体部５内でその配置位置を変更して、表皮材２の形状に制約されながらも全体形状の変更が可能となるものである。
またクッション材３は粒塊状物に限定することはなく、たとえば綿材でも、後述するようにポケット部６に挿入された手で掴んだり指でつまんで綿材の一部が本体部５内で移動できるものであれば採用を否定しない。
なお前記表皮材２、クッション材３の素材としては、水洗い及び熱風乾燥が可能な素材を採用することが衛生面特に介護施設や病院等の要求面でより好ましい。その場合には、球状ビーズ３ａの代わりに、ポリプロピレン素材の小径パイプビーズ（例えば、株式会社小川コルマ社製  Ｐ．Ｐミニパイプ）など乾燥温度に耐えうる素材のビーズを適用することができる。
【００２７】
次に介護用クッション１の構造について詳しく説明する。
まず本体部５は、要介護者Ｍの身体部位を支持する部位であり、この実施例では一例として前述したように平面視湾曲状とした細長状のものとしたが、これに限定されるものではなく、例えば後ほど他の実施例で述べるような適宜の形状が取り得るものである。
【００２８】
またポケット部６は、本体部５の内部に手または指を挿入するような操作を可能とする部位である。更にポケット部６は、前記クッション材３と接触可能とされ、このポケット部６を構成しているポケット部表皮材２１は、前記本体部５を構成している本体部表皮材２０の内面に非固定とされるものであり、ポケット部６が本体部５の内側で可動性を有するように構成される。
なお、本体部表皮材２０とポケット部表皮材２１とを一枚の布で一体に作った場合には、ポケット部６を本体部５の内側に入り込むようにした際、連通部が折り返したようになったポケット入口６１を構成するようにできる。このため、介護者Ｃがポケット入口６１をすぐに発見しやすくなり、また手を入れやすくできるので、介護者Ｃのサポートしやすさが格段と向上する。
更に図１に示すように、表裏の本体部表皮材２０を縫製する部位にポケット部６を設ける場合には、図２（ｃ）に示すように表面の本体部表皮材２０と裏面の本体部表皮材２０布の各一枚のみで制作が容易にでき、また、縫製のラインに沿って外観としても一体感が得られる。
ここで、表面の本体部表皮材２０と裏面の本体部表皮材２０との各一体の布によって表皮材２を構成する場合には、縫製部に設けられるポケット部６は要介護者Ｍの人体に水平に近くなるように展開することとなり、介護者Ｃの手が要介護者Ｍの人体に沿うような、自然な方向にポケット部６を形成することができる。
【００２９】
またポケット部表皮材２１を、本体部表皮材２０に比べて伸縮性の大きい素材を適用したものとすることで、ポケット部６に挿入された手でポケット部表皮材２１を押して、本体部５の内部でポケット部表皮材２１を伸張させることにより、本体部５の内部の広範囲に渡ってポケット部６の作用効果を発揮させるようにすることもできる。
【００３０】
なおこの実施例では、前記ポケット部表皮材２１が平面視台形上であることから、ポケット部６は奥拡がり状に形成される。またポケット入口６１は、製造手法に因み横拡がり状に形成されている。
ここで奥広がり状とは、ポケット部６の奥側の一部または全部がポケット入口６１の幅より広くなっていることをいうものであり、図示のように中が広い台形とされる。更にポケット部６の奥行きは限定しないが、手首まで入る程度の深さがあれば体位変換の際に介護者Ｃの腕にかかる負担を少なくすることができ、サポートしやすく望ましい。
またこの実施例では図２（ａ）に示すように、ポケット部６を平面視弧状の本体部５の外弧部の二カ所に形成するようにしたが、後ほど他の実施例で述べるような適宜の箇所に適宜の数設けるようにしてもよい。
【００３１】
そして前記ポケット部６を構成するポケット部表皮材２１は、上述したように本体部５内に反転して押し込まれた状態でポケット部６として機能する、一方、本体部５から裏返し状にして引き出された状態で裏返し張出部７として機能するものである。
具体的にはこの引き出し状態において、裏返し張出部７の内側は本体部５と連通した状態となるため、裏返し張出部７内に、本体部５に充填されていたクッション材３を移動させることが可能となるものである。すなわち本体部５は実質的に減容されて嵩が減ることとなる。
【００３２】
次に上述のようにして構成された介護用クッション１の使用形態について説明する。
〔体位変換〕
まず介護者Ｃによる要介護者Ｍの体位変換の形態について説明する（図３参照）。
この場合、図２（ａ）に示されるようにポケット部６が形成された介護用クッション１を用い、介護者Ｃは図３（ｂ）に示すようにポケット入口６１に手または指を挿入するものであり、ポケット部表皮材２１の寸法設定にもよるが、概ね手首あたりまでがポケット部６内に位置することとなる。そして要介護者Ｍの体の下へと介護用クッション１を差し入れるものであり、この際、要介護者Ｍの身体荷重の下方に直接手を入れることが可能となる。
またポケット部６が奥拡がり状に形成されているから、ポケット部６（ポケット入口６１）に手を差し入れた際の安定感等がより得られ易く、更にポケット部６全域に広げた手を位置させることができる。
更にまたポケット部６（ポケット入口６１）が適宜の数設けられることにより、操作により適した部位に手を差し入れることができる。
【００３３】
次いで図３（ｃ）に示すように、引き上げるようにして要介護者Ｍの体位変換を促すものであり、いわば荷重のかかる側から直接的に（介護用クッション１の内部のより近くから）身体部分を持ち上げるような操作がなされることとなる。更に介護者Ｃの力は、要介護者Ｍを包み込むような状態となる本体部５全域の広い面積から要介護者Ｍに作用することとなる。
そしてこのような体位変換の手法は、介護者Ｃにとっては力加減を調整し易く、一方、要介護者Ｍにとっては受ける力が自然に身体に伝わり、安心感と、無理のない体位変換が行われるものである。
【００３４】
なおここまでで体位変換を完了とせずに、引き続いて更に要介護者Ｍの体位の安定維持を図るようにすることもできる。
具体的には図示は省略するが、例えば図３（ｄ）に示すように体位変換した要介護者Ｍの体位を安定維持する場合、体位変化に用いた介護用クッション１を要介護者Ｍの肩から腰にかけての位置にずらす。この際、本体部５内においてはクッション材３がどうしても偏在してしまうが、介護者Ｃは、ポケット部６に挿入した手により本体部５の内部においてクッション材３を移動させる調整を行うことができる。このため、要介護者Ｍの体位変換から適切なポジショニングを行う操作までの動作を一連の動作として実現することができる。
【００３５】
この際、更にポケット入口６１からポケット部表皮材２１を裏返し状に引き出して裏返し張出部７とすることにより、後述する体位の安定維持で述べるように、本体部５内のクッション材３の体積を減量させ、要介護者Ｍの状況に応じた更に適切な形状を選択することができ、ここまでの動作が一例の動きとして可能となることによって、より適切な体位変換と体位の安定維持を一体に実現できるのである。
【００３６】
〔体位の安定維持〕
次に要介護者Ｍの体位の安定維持の形態について説明する（図４参照）。要介護者Ｍの体位の安定的な維持に当たっては、表皮材２の外側から介護用クッション１を部分的に押圧して独立粒塊状のクッション材３を偏在させたり、ポケット部６に手を差し入れてポケット部表皮材２１越しにクッション材３の位置を動かすことにより、支持作用を行う本体部５を容易に要介護者Ｍの体位になじんだ形状とすることができる。
なおこのような手法では、表皮材２内でクッション材３が移動するとはいえ、表皮材２の形状に因む内容積は決まっていることから、部位によってはまだ圧力が強くなってしまう等、理想的な形状を得難い場合も予想される。このような場合には、本発明の介護用クッション１にあっては、図４（ｂ）、（ｃ）に示すようにポケット入口６１からポケット部表皮材２１を裏返し状に引き出して裏返し張出部７とするとともに、本体部５に充填されていたクッション材３を裏返し張出部７内に移動させることができるから、本体部５内のクッション材３の体積を減容させ、要介護者Ｍの状況に応じた更に適切な形状を選択することができる。
なおこのような要介護者Ｍの体位の安定維持を図るにあたっては、後述する他の実施例で示すような、形状を異ならせた複数の介護用クッション１を図７に示すように組み合わせることにより、より繊細な耐圧分散と体位の安定維持を実現することができる。
【００３７】
〔他の実施例〕
本発明の介護用クッション１は、図１〜４に示すとともに、上述のように説明した実施例を基本となる実施例とするものであるが、本発明の技術的思想に基づいて以下に示すような実施例を採ることもできる。
まず介護用クッション１に設置されるポケット部６の位置は、上述の基本となる実施例では表裏の本体部表皮材２０を縫製する部位としたが、上述のポケット部６の作用効果を発現させることのできる部位であれば、本体部５の側周の適宜の個所とすることができる。具体的には介護用クッション１が使用される状態において、要介護者Ｍに接触させる頻度が少ない位置とすることが好ましい。つまり、介護用クッション１は、通常は使用形態に応じた形状をしており、その使用形態において要介護者Ｍに頻繁に接触させる部分が設計上想定されているため、その部分以外の位置にポケット部６を配置すればよい。
そして、複数のポケット部６を形成する場合には、要介護者Ｍの体位変換等の作業をし易い位置に配置すればよい。例えば本体部５の側周であって、要介護者Ｍの身体を支持する面の左右または上下に対向する位置へとポケット部６を複数設ければ、体位変換を行うときに人体を支える左右または上下のバランスが取りやすくでき、配置の向きを変える場合にも対応しやすい。
ここで本体部５の側周とは、本発明の介護用クッション１が底面、上面、側周面の区別が明確に成されるものではないため、本体部５の表面を全域を意味するものとする。
以下、第二〜第十の実施例について具体的に説明する。
【００３８】
まず第二の実施例としての介護用クッション１Ａは図５（ａ）に示すように、本体部５の形状を平面視で矩形状としたものであり、いわば一般的な枕のような形態のものである。
【００３９】
また図５（ｂ）に示す第三の実施例としての介護用クッション１Ｂは、第二の実施例として示した介護用クッション１Ａと同様に平面視矩形状の本体部５とするものであるが、ポケット部６を要介護者Ｍの身体を支持する面の上下に対向する一対を二カ所、合計四カ所に形成するようにしたものである。
【００４０】
また図５（ｃ）に示す第四の実施例としての介護用クッション１Ｃは、本体部５を比較的長細状とし、ポケット部６を要介護者Ｍの身体を支持する面の左右に対向する一対を一カ所に形成するようにしたものである。
【００４１】
また図５（ｄ）に示す第五の実施例としての介護用クッション１Ｄは、本体部５を平面視正方形状の座布団様とし、その各辺に一または複数のポケット部６を形成するようにしたものである。具体的にはポケット部６を要介護者Ｍの身体を支持する面の上下に対向する一対を二カ所、左右に対向する一対を一カ所、合計六カ所に形成するようにしたものである。
【００４２】
また図５（ｅ）に示す参考例としての介護用クッション１Ｅは、ポケット部６の形状を異ならせたものであり、ポケット入口６１から奥（本体部５の中心）に向かって屈曲するような形状としたものである。
【００４３】
また図６（ｆ）に示す第六の実施例としての介護用クッション１Ｆは、本体部５の所定の方向に沿って仕切５１を設けることにより、本体部５を複数の本体部要素５０が連結された状態のものとしたものである。更にこの実施例は、ポケット部６を要介護者Ｍの身体を支持する面の左右に対向する一対を二カ所、合計四カ所に形成するようにしたものである。
【００４４】
また図６（ｇ）に示す第七の実施例としての介護用クッション１Ｇは、介護用クッション１Ｆの変形例であり、左右に対向するように設けられた四カ所のポケット部６に加え、４分割された仕切５１のうち中央二つの本体部分の上下に対向する位置にもポケット部６をそれぞれ形成したものである。これにより中央部分の本体部のクッション材を外に出すようにして調整ができる。
【００４５】
また図６（ｈ）に示す第八の実施例としての介護用クッション１Ｈは、ポケット部６の形成位置を、上下方向において、例えば上方に偏るような形態とするものであり、このようにポケット部６の高さ方向の位置も適宜の位置とすることができる。
なおこの場合、前出の上下一対の表皮材２を重ね合わせるとともに、その周囲を縫合する製造手法は採り難いため、本体部表皮材２０とポケット部表皮材２１とを別部材として構成し、これらを一体化するような製造形態を採ることができる。なお、図の断面で本体部５の中心位置かそれよりも要介護者Ｍの体により近い位置にポケット部６を設けることにより、介護者Ｃは要介護者Ｍの体をポケット部６に挿入した手により感じながらサポートすることができ、更に本体部５の内部においてクッション材３を移動させて行われる圧力の調整も、体により近い位置で行うことができる。
【００４６】
また図６（ｊ）に示す第九の実施例としての介護用クッション１Ｊは、ポケット部６を構成するにあたり、ポケット部６の配置態様を異ならせたものであり、上述の介護用クッション１Ａ〜Ｈにおけるポケット部６が平面視台形状であったのに対し、側面視台形状となるようにしたものである。この場合、ポケット入口６１は垂直状になるものであるが、ポケット入口６１が適宜斜めになるようにポケット部６を形成することもできる。
【００４７】
また上述した実施例では、介護用クッション１をクッション、枕、座布団と比較的小型のものとして構成したものについて説明したが、より大型化したマットレス状のものとして構成することも可能である。
【００４８】
なお上述した実施例では、ポケット入口６１が常時開放状態にあるものとしたが、ファスナーやボタンなどを用いて一時的に閉じることができるようにすることは否定しない。
【符号の説明】
【００４９】
１      介護用クッション
２      表皮材
２０    本体部表皮材
２１    ポケット部表皮材
３      クッション材
３ａ    球状ビーズ
３ｂ    通気ウレタンキューブ
５      本体部
５０    本体部要素
５１    仕切
６      ポケット部
６１    ポケット入口
７      裏返し張出部
Ｍ      要介護者
Ｃ      介護者
【図１】
0006570892.tif 000002
【図２】
0006570892.tif 000003
【図３】
0006570892.tif 000004
【図４】
0006570892.tif 000005
【図５】
0006570892.tif 000006
【図６】
0006570892.tif 000007
【図７】
0006570892.tif 000008